(57)【要約】  大空間の殺菌消毒に適した薬液噴霧装置を提供する。加圧薬液タンクおよびコンプレッサーを搭載しているケースと、前記コンプレッサーから供給される圧搾空気の一部が流通される圧搾空気管と、前記コンプレッサーから供給される圧搾空気の残部で加圧された薬液が前記加圧薬液タンクから流通される加圧薬液管とを備えた延長用連結管と、前記延長用連結管の先端に取り付けられている二流体ノズルを備え、前記二流体ノズルは前記圧搾空気管に接続される圧搾空気通路と、前記加圧薬液管に接続される加圧薬液通路を備え、加圧薬液と圧搾空気とを混合して前記噴口から噴射する構成としていることを特徴とする。
2019098042.tif 000002
【特許請求の範囲】
【請求項１】
加圧薬液タンクおよびコンプレッサーを搭載しているケースと、
前記コンプレッサーから供給される圧搾空気の一部が流通される圧搾空気管と、前記コンプレッサーから供給される圧搾空気の残部で加圧された薬液が前記加圧薬液タンクから流通される加圧薬液管とを備えた延長用連結管と、
前記延長用連結管の先端に取り付けられている二流体ノズルを備え、
前記二流体ノズルは前記圧搾空気管に接続される圧搾空気通路と、前記加圧薬液管に接続される加圧薬液通路を備え、前記空気通路から供給する圧搾空気と前記加圧薬液通路より供給する加圧薬液とを混合して噴射する構成としていることを特徴とする薬液噴霧装置。
【請求項２】
前記ケースは、ショルダーストラップを備えた背負い式のケースまたは下面にローラを取り付けた台車式のケースからなる可搬式とし、
前記ケースは、内部に前記加圧薬液タンク、コンプレッサー、該コンプレッサー駆動用のバッテリー、制御器、これら機器を接続するワイヤハーネス、前記コンプレッサーに接続する圧搾空気供給管、該圧搾空気供給管から分岐して前記加圧薬液タンクに連結した加圧用分岐管と、該加圧薬液タンクに連結した加圧薬液供給管を収納している請求項１に記載の薬液噴霧装置。
【請求項３】
前記延長用連結管の先端に前記ノズルを取り付ける噴霧ガンを備えたタイプとし、
前記ケースに取り付ける圧搾空気供給管の端末、前記加圧薬液供給管の端末、および前記ワイヤハーネスの端末にそれぞれ取り付けた継ぎ手を前記ケースの外面に導出しておく一方、
前記延長用連結管は前記加圧薬液管とする内管を前記圧搾空気管とする外管で囲む二重管とし、該延長用連結管の端末に前記継ぎ手にそれぞれ接続する被継ぎ手を突設し、
かつ、前記外管の端末側に握り部を設け、該握り部に噴霧ボタンを設けている請求項２に記載の薬液噴霧装置。
【請求項４】
前記延長用連結管の先端に取り付ける二流体ノズルは、ノズル本体の噴射側の中心軸線に沿う貫通穴に前記圧搾空気通路をあけて前記加圧薬液通路を形成する内筒を配置し、該内筒の先端開口を外筒となる前記ノズル本体の先端開口の噴口より内部側に位置させて内部混合室を設け、前記加圧薬液通路の先端開口から噴射する加圧薬液を外周側の圧搾空気と内部混合させて前記噴口より外部に噴霧させる構成とし、かつ、前記内部混合室の内周面を前記噴口に向けて縮径させている請求項１乃至請求項３のいずれか１項に記載の薬液噴霧装置。
【請求項５】
前記二流体ノズルのノズル本体は基部側に前記圧搾空気管に接続される圧搾空気通路と、前記加圧薬液管に接続される加圧薬液通路を備え、
該ノズル本体の基部の先端側で中心軸線に対して等間隔で２〜３分岐する分岐部を備え、これら分岐部を互いに離れる方向に傾斜させて突出させた後に前記中心軸線に向けて互いに近接する方向に屈折させ屈折部を設け、これら屈折部の中心軸線に沿って前記貫通穴を設けていると共に該貫通穴に前記内筒を設け、
前記各分岐部の屈折部先端の前記噴口より噴射する噴霧を前記ノズル本体の中心軸線の延長線上で衝突させて、噴霧中の液滴を微粒化させる構成としている請求項４に記載の薬液噴霧装置。
【請求項６】
前記衝突混合する噴霧の液滴は平均粒子径が１０ミクロン以下のドライフォグとしている請求項５に記載の薬液噴霧装置。
【請求項７】
前記圧搾空気と混合噴霧する加圧薬液は次亜塩素酸液である請求項１乃至請求項６のいずれか１項に記載の薬液噴霧装置。
【請求項８】
気体と液体とを混合噴霧する二流体ノズルであって、
ノズル本体内に、液体通路の外周に気体通路を備え、前記液体通路の噴射側開口を前記気体通路内に位置させて該ノズル本体の噴口に接する内部混合室を備え、該内部混合室は前記噴口に向けて縮径されていることを特徴とする二流体ノズル。
【発明の詳細な説明】
【技術分野】
【０００１】
本発明は薬液噴霧装置に関し、特に、食品工場、病院、不特定多数の人が集まる教育施設、ホール、植物栽培施設、畜産施設等に殺菌消毒・除菌・消臭用の薬液を噴霧するものである。
【背景技術】
【０００２】
食品工場、病院、学校等では設置物の裏面や隠れた箇所に付着する細菌、空中に浮遊する細菌まで殺菌消毒する必要がある。その際、殺菌消毒薬液が設置物の表面を濡らさず、人に濡れを感じさせないことが要望されている。
この種の殺菌消毒液をノズルから噴霧する装置が提供されており、本出願人も特許第３７２２８６１号（特許文献１）で図１０（Ａ）（Ｂ）に示す自動殺菌消毒装置を提供している。【０００３】
特許文献１の装置では、可搬式の台車１０１に消毒液タンク１０２とコンプレッサー１０３を搭載し、消毒液タンク１０２から供給する消毒液とコンプレッサー１０３から供給する圧搾空気とを台車１０１の上部外面に露出させて搭載した二流体型のノズル１０５の噴口の近傍で混合して噴霧する構造としている。
【先行技術文献】
【特許文献】
【０００４】
【特許文献１】特許第３７２２８６１号公報
【発明の概要】
【発明が解決しようとする課題】
【０００５】
特許文献１の自動殺菌消毒装置は台車１０１にノズル１０５を搭載しているため、床上で移動させる台車１０１に搭載するノズル１０５から高所や離れた位置に噴霧するには、噴霧の飛距離を延ばす必要があり、飛距離を延ばすには噴霧圧を高めなければならない。特許文献１で用いる二流体のノズル１０５は消毒液タンク１０２から供給する消毒液をコンプレッサー１０３からノズル１０５に供給する圧搾空気と該ノズル１０５の噴口近傍で混合し、圧搾空気で噴霧圧を高めている。
特許文献１の装置では台車１０１にノズル１０５を搭載し、消毒液タンク１０２の水面からノズル１０５までの距離を１００ｍｍと短く設定しているため、ノズル１０５の噴口まで安定して消毒液を吸引することができる。【０００６】
具体的には、二流体のノズル１０５は図１１に示すように、消毒液流路１０６を形成する内管１０７を圧搾空気流路１０８を介して外管１０９で囲み、外管１０９の先端開口１０９ａより噴射する圧搾空気により消毒液タンク１０２より消毒液流路１０６を通して消毒液を吸い上げて噴霧している場合が多い。【０００７】
食品工場や大ホール等の高い天井の大空間に消毒液を噴霧する場合、台車１０１から延在するパイプの先端にノズルを取り付け、所謂、噴霧ガンの先端のノズルから噴霧する必要がある。その場合、噴霧したい方向に噴霧ガンを上下させると、消毒液タンクの水面に対してノズルの高さが大きく上下し、水頭差の影響を大きく受けるため、噴霧量の変動が大きくなる。例えば、ノズル先端を消毒液タンクの水面より下げた状態では噴霧量が増加し、水面より上げた状態では噴霧量が減少し、さらに上げていくと噴霧しなくなる。そのため、ノズル先端で圧搾空気により消毒液をサクションして噴霧する従来の方法では、実用上の問題がある。よって、噴霧量の変動を小さくするため消毒液を加圧して圧送する必要があるが、消毒液の成分が析出することにより目詰まりが発生しやすくなるため、消毒液流路は比較的大径とすることが好ましい。その場合、流通する消毒液が少量であると、液圧が上昇せず、ノズル先端で圧搾空気と混合しても飛距離が伸びない問題がある。【０００８】
本発明は前記問題に鑑みてなされたもので、目詰まりが発生しにくいように流路径を大きくすると共に流路長さが大となり、薬液タンクの水面とノズルの水頭差が大きく変動しても、流路先端のノズルに薬液を供給できると共に、ノズルに供給する消毒液等の薬液の液圧を高め、噴霧の飛距離を長くでき、大空間の薬液噴霧に適した薬液噴霧装置を提供することを課題としている。
【課題を解決するための手段】
【０００９】
前記課題を解決するため、本発明は、加圧薬液タンクおよびコンプレッサーを搭載しているケースと、
前記コンプレッサーから供給される圧搾空気の一部が流通される圧搾空気管と、前記コンプレッサーから供給される圧搾空気の残部で加圧された薬液が前記加圧薬液タンクから流通される加圧薬液管とを備えた延長用連結管と、
前記延長用連結管の先端に取り付けられている二流体ノズルを備え
前記二流体ノズルは前記圧搾空気管に接続される圧搾空気通路と、前記加圧薬液管に接続される加圧薬液通路を備え、前記圧搾空気通路から供給する圧搾空気と前記加圧薬液通路より供給する加圧薬液とを混合して噴射する構成としていることを特徴とする薬液噴霧装置を提供している。【００１０】
前記のように、本発明では、前記延長用連結管の長さが、例えば１〜３ｍ等と長くなり、該延長用連結管先端のノズルが上下して薬液タンクとノズルの水頭差が大きくなっても、薬液タンクにコンプレッサーから圧搾空気の一部を供給してノズルへ送る薬液を予め加圧しているため、ノズルまで所要圧力で薬液を供給することができる。さらに、ノズルを二流体のノズルとして、圧搾空気の残部を直接ノズルへ供給し、加圧した薬液と圧搾空気を混合することにより噴射圧を高めているため、噴霧の飛距離を延ばすことが出来る。その結果、大空間の天井付近から床、壁の隅まで薬液を噴霧することができる。【００１１】
前記ケースは、ショルダーストラップを備えた背負い式のケースまたは下面にローラを取り付けた台車式のケースからなる可搬式とし、
前記ケースは、内部に前記加圧薬液タンク、コンプレッサー、該コンプレッサー駆動用のバッテリー、制御器、これら機器を接続するワイヤハーネス、前記コンプレッサーに接続する圧搾空気供給管、該圧搾空気供給管から分岐して前記加圧薬液タンクに連結した加圧用分岐管と、該加圧薬液タンクに連結した加圧薬液供給管を収納していることが好ましい。【００１２】
食品工場、病院、コンサートホール、講堂等の不特定多数の人が集まる大空間を殺菌消毒する場合、据え置き型とするより、移動しながら殺菌消毒することが好ましい。かつ、移動するため、バッテリーを搭載することでコードレスとでき、移動範囲を広くすることができる。バッテリーとしてはリチウムイオン二次電池が好適に用いられる。このようにコードレスとすると電源が確保しにくい畜産施設等にも用いることができる。【００１３】
前記延長用連結管の先端に前記ノズルを取り付ける噴霧ガンを備えたタイプとし、
前記ケースに取り付ける圧搾空気供給管の端末、前記加圧薬液供給管の端末、および前記ワイヤハーネスの端末にそれぞれ取り付けた継ぎ手を前記ケースの外面に導出しておく一方、
前記延長用連結管は前記加圧薬液管とする内管を前記圧搾空気管とする外管で囲む二重管とし、該延長用連結管の端末に前記継ぎ手にそれぞれ接続する被継ぎ手を突設し、
かつ、前記外管の端末側に握り部を設け、該握り部に噴霧ボタンを設けることが好ましい。【００１４】
前記二重管の外管は保形性を有する金属製あるいは樹脂製とし、前記１〜３ｍ程の所要長さの定尺としてもよいし、伸縮式として長さを調節可能としてもよい。
このように、前記延長用連結管の先端にノズルを取り付けて噴霧ガンの仕様とすることで、大空間の天井や壁の隙間、設置物の背面や隠れた箇所まで薬液を効率よく噴霧することができる。【００１５】
前記延長用連結管の先端に取り付ける二流体のノズルは、ノズル本体の噴射側の中心軸線に沿う貫通穴に前記圧搾空気通路をあけて前記加圧薬液通路を形成する内筒を配置し、該内筒の先端開口を外筒となる前記ノズル本体の先端開口の噴口より内部側に位置させて内部混合室を設け、前記加圧薬液通路の先端開口から噴射する加圧薬液を外周側の圧搾空気と内部混合させて前記噴口より外部に噴霧させる構成とし、かつ、前記内部混合室の内周面を前記噴口に向けて縮径させることが好ましい。【００１６】
前記のように、二流体のノズルは噴口に接する内部混合室内で加圧薬液と圧搾空気とを内部混合させて、加圧した液圧に圧搾空気圧を付加して混合流体圧を高め、さらに、該内部混合室を噴口に向けて縮径しているため、噴霧圧を飛躍的に上昇させることができる。【００１７】
前記加圧薬液通路となる前記内筒の中空穴を断面円形とする一方、該内筒の外周面の一部を三角形または四角形の多角形とし、該多角形の頂点を前記外筒となるノズル本体の断面円形の前記貫通穴の内周面に接触させて、前記内筒を前記貫通穴の中心軸線に沿って位置させることが好ましい。【００１８】
前記二流体ノズルのノズル本体は基部側に前記圧搾空気管に接続される圧搾空気通路と、前記加圧薬液管に接続される加圧薬液通路を備え、
該ノズル本体の基部の先端側で、ノズル本体の中心軸線に対して等間隔で２〜３分岐する分岐部を備え、これら分岐部を互いに離れる方向に傾斜させて突出させた後に前記中心軸線に向けて互いに近接する方向に屈折させた屈折部を設け、これら屈折部の中心軸線に沿って前記貫通穴をそれぞれ設けていると共に、各貫通穴に前記内筒を挿着し、
前記各分岐部の屈折部先端の前記噴口より噴射する噴霧を前記ノズル本体の中心軸線の延長線上で衝突させ、噴霧中の液滴を微粒化させる構成としていることが好ましい。【００１９】
前記衝突混合する噴霧の液滴は平均粒子径が１０ミクロン以下のドライフォグとしていることが好ましい。前記粒子径はレーザー法で測定している。
前記ドライフォグは水滴が付着しても濡れを発生させない霧であるため、乾燥時間を不要にでき、かつ、空中滞在時間を長くできるため、空中浮遊菌を殺菌することができる。
しかも、加圧薬液に圧搾空気を内部混合し、縮径した内部混合室の先端の噴口から噴霧して噴霧圧を高めているため、飛距離（霧足）が長くなり、除菌・消臭もしくは殺菌消毒する空間に瞬く間に霧を充満させて、空間の隅々まで除菌・消臭もしくは殺菌消毒することができる。
なお、前記ドライフォグで噴霧できるノズルであれば、前記衝突混合タイプのノズルに限定されない。【００２０】
前記噴霧ボタンは、前記コンプレッサーをオン／オフ操作すると共に、前記ノズルの基端に連結するバルブを開閉動作するものとし、該バルブは圧搾空気のオフ時に開閉弁を閉じ作動するスプリングを備え、該スプリングの作動で加圧薬液通路を遮断する構造とし、噴霧停止時にノズル噴口からの薬液のボタ落ちを防止する構造としていることが好ましい。  【００２１】
本発明の薬液噴霧装置は、食品工場、病院、飛行機・船舶・鉄道・バスを含む車両、保育施設・高齢者施設、学校・塾を含む教育施設、レジャー施設、植物栽培施設、畜産施設内で使用することが好ましい。【００２２】
本発明の薬液噴霧装置において、圧搾空気と混合噴霧する加圧薬液として次亜塩素酸水が好適に用いられる。なお、次亜塩素酸水の他に過酢酸液、グルタラール（ホルマリン）液、二酸化塩素水等の薬液が殺菌用薬液として用いることができる。
これらの殺菌用の加圧薬液を圧搾空気と混合してドライフォグで噴霧すると、広い範囲にわたり高濃度の殺菌用薬液が拡散でき、広い範囲で殺菌用薬剤で菌を一網打尽できる。かつ、ドライフォグであるため空中に滞在して蒸発しやすく、噴霧装置内に露出する金属製部材に酸性の殺菌用薬液が付着しにくく、該金属製部材の酸性液との接触による腐食を阻止することができる。【００２３】
前記薬液噴霧装置に用いる二流体ノズルは薬液の噴霧に限らず、他の液体をノズルから噴霧する場合にも好適に用いることができる。
よって、本発明は第２の発明として、
気体と液体とを混合噴霧する二流体ノズルであって、
ノズル本体内に、液体通路の外周に気体通路を備え、前記液体通路の噴射側開口を前記気体通路内に位置させて該ノズル本体の噴口に接する内部混合室を備え、該内部混合室は前記噴口に向けて縮径されていることを特徴とする二流体ノズルを提供している。
即ち、第１の発明の薬液噴霧装置で用いる二流体のノズルにおいて、圧搾空気通路に圧搾空気に限定されない気体を流入し、薬液を流入する加圧液体通路に薬液以外の液体を流入させてもよい。【００２４】
前記二流体ノズルは、液体の貯留タンクからノズルまでの搬送距離が長くて、貯留タンクとノズルまでの水頭差が大きい場合、噴霧の飛距離を長くしたい場合等に好適に用いられる。かつ、該二流体ノズルに前記バルブを連結して用いると、コンプレッサーの停止操作で液体の供給を停止でき、ノズル噴口からの液体のボタ落ちを防止できる。
【発明の効果】
【００２５】
前記のように、本発明の薬液噴霧装置は、薬液タンクからノズルまでの距離が長くて薬液タンクとノズルまでの水頭差が大きい場合にも、ノズルまで薬液を無理なく供給でき、大空間の除菌・消臭や殺菌消毒に有効に用いることができる。特に、食品工場等の除菌や殺菌消毒が必要な大空間、病院、教育施設、コンサートホール等の不特定多数の人が集う空間の除菌・消臭や殺菌消毒を短時間で効率良く行うことができる特有の効果を有する。
【図面の簡単な説明】
【００２６】
【図１】本発明の実施形態の薬液噴霧装置を背負って噴霧作業をする状態を示す斜視図である。
【図２】（Ａ）は前記薬液噴霧装置の噴霧ガンを示す斜視図、（Ｂ）は（Ａ）のＢ−Ｂ線断面図である。
【図３】前記薬液噴霧装置のケースを示し、（Ａ）は斜視図、（Ｂ）はケース本体内に収容している機器を示す斜視図である。
【図４】前記機器の連結状態を示す概略図である。
【図５】前記機器のうちの加圧薬液タンクの斜視図である。
【図６】前記薬液噴霧装置の噴霧ガンの先端に接続するノズルおよびバルブの分解斜視図である。
【図７】前記ノズルを示し、（Ａ）は拡大断面図、（Ｂ）は平面図である。
【図８】（Ａ）は前記ノズルの要部拡大断面図、（Ｂ）は（Ａ）のＣ−Ｃ線断面図である。
【図９】（Ａ）は前記ノズルとバルブを連結した状態の断面図、（Ｂ）は（Ａ）の前記バルブの部分の水平断面図、（Ｃ）は前記バルブの閉弁状態を示す断面図である。
【図１０】（Ａ）（Ｂ）は従来例を示す断面図である。
【図１１】従来のノズルの要部拡大断面図である。
【発明を実施するための形態】
【００２７】
以下、本発明の実施形態を図面を参照して説明する。
図１乃至図９に実施形態を示す。
実施形態の薬液噴霧装置は作業員が背中に担ぐ背負い式とし、背負い式のケース１と、該ケース１に着脱自在に連結する噴霧ガン２を備え、該噴霧ガン２の先端に二流体ノズル３（以下、ノズル３と略称する）を備えている。
【００２８】
前記ケース１はケース本体１ａと、該ケース本体１ａ内に所要機器を収納後にケース本体１ａの開口を閉鎖するカバー１ｂとからなる。ケース本体１ａにはカバー１ｂと反対側に左右一対のショルダーストラップ４Ａ、下部にヒップベルト４Ｂ、上面に把持枠５を突設している。
【００２９】
前記ケース本体１ａの内部空間に図３（Ａ）（Ｂ）に示すように仕切枠１１を収納し、該仕切枠１１の下段板１１ａに加圧薬液タンク１２、中段板１１ｂにリチウムイオン二次電池を用いるバッテリー１３、上段板１１ｃに制御器１４およびコンプレッサー１５を搭載している。かつ、バッテリー１３と制御器１４、コンプレッサー１５を接続するワイヤハーネスＷを収容している。
さらに、換気ファン、加圧薬液タンク内の圧力を計測する圧力計および内圧調整用のレギュレータ、残圧抜き電磁弁等を収容している。
【００３０】
さらに、図４に示すように、コンプレッサー１５に接続する圧搾空気供給管１６の先端をケース本体１ａの外面に突出させて継ぎ手１７Ａを取り付けている。また、圧搾空気供給管１６の途中から加圧用分岐管１８を分岐させ、該加圧用分岐管１８を加圧薬液タンク１２の上面に設けた圧搾空気投入口１２ａに接続している。該加圧薬液タンク１２の上面に設けた加圧薬液導出口１２ｂに加圧薬液供給管１９を接続し、該加圧薬液供給管１９の先端をケース本体１ａの外面に突出させて継ぎ手１７Ｂを取り付けている。さらに、前記ワイヤハーネスＷの先端もケース本体１ａの外面に突出させて継ぎ手１７Ｃを取り付けている。
【００３１】
加圧薬液タンク１２の上面に薬液投入口１２ｃを設け、除菌消臭液や殺菌消毒液からなる薬液Ｑを投入している。加圧薬液タンク１２内では貯留する薬液Ｑにコンプレッサー１５から加圧用分岐管１８を通して圧搾空気Ａを供給して加圧薬液ＡＱを生成している。継ぎ手１７Ａ、１７Ｂは前記噴霧ガン２側の被継ぎ手と接続すると開口して、圧搾空気Ａ、加圧薬液ＡＱを流通可としている。これにより、ケース本体１ａの外面に突出させた継ぎ手１７Ａから圧搾空気Ａ、継ぎ手１７Ｂから加圧薬液ＡＱを噴霧ガン２へ供給できるようにしている。薬液を予め圧搾空気で加圧して加圧薬液ＡＱとして供給するため、噴霧ガン２が薬液水面より高くなっても、先端のノズル３まで薬液を確実に供給することができる。
前記加圧薬液タンク１２は図５に示すように、仕切枠１１の下段板１１ａ上に突設した保持枠１１ｄで位置決め保持されるようにしている。
【００３２】
前記噴霧ガン２は図２（Ａ）（Ｂ）に示すように、長尺な延長用連結管２０の端末を屈曲させて作業員が片手で掴む握り部２３を設けると共に、該握り部２３に噴霧ボタン２４とバッテリー残量表示部２５を設けている。図２（Ｂ）に示すように、延長用連結管２０は、樹脂製あるいは軽量金属製の外管２０Ａの中空部の中心に内管２０Ｂを延在させた二重管としている。内管２０Ｂはその中空部に加圧薬液を通す加圧薬液管とし、内管２０Ｂの外周面と外管２０Ａの内周面の間を環状の圧搾空気通路とし、外管２０Ａを圧搾空気管としている。尚、二重管とせずに加圧薬液管と圧搾空気管を並設してもよい。
【００３３】
前記延長用連結管２０の屈曲させた端末に、加圧薬液管とする内管２０Ｂと連続させる被継ぎ手２６Ｂ、圧搾空気管とする外管２０Ａと連続させる被継ぎ手２６Ａ、前記噴霧ボタン２４およびバッテリー残量表示部２５と接続したワイヤハーネスに連続させた被継ぎ手２６Ｃを設けている。被継ぎ手２６Ａ、２６Ｂを継ぎ手１７Ａ、１７Ｂと連結すると、内管２０Ｂに加圧薬液が流入し、外管２０Ａで囲まれた圧搾空気通路に圧搾空気が流入するものとしている。かつ、被継ぎ手２６Ｃと継ぎ手１７Ｃを接続すると噴霧ボタン２４およびバッテリー残量表示部２５に電源が供給されるものとしている。
【００３４】
さらに、延長用連結管２０の長さ方向の中間に作業員が他方の手で掴む握り部２７を設け、延長用連結管２０の先端のノズル３を目指す方向に安定保持できるものとしている。
なお、延長用連結管２０は定寸の長尺物としているが、使用に応じて長さ調節可能な伸縮式としてもよい。
【００３５】
前記延長用連結管２０の先端側を屈曲させ、該屈曲させた延長用連結管２０の先端に噴霧ボタン２４で作動される噴射オン／オフ・バルブ３１（以下、バルブ３１と略称する）を介して二流体タイプのノズル３を取り付け、該ノズル３とバルブ３１に保護枠３９を被せている。
【００３６】
ノズル３は図７および図８に示す衝突混合型の二流体ノズルで、ノズル本体３０は圧搾空気Ａと加圧薬液ＡＱの供給側の基部３０ａの先端側で中心軸線Ｌ１に対して等間隔で開き方向に２分岐する分岐部３２、３３を設けている。これら分岐部３２、３３の先端側で前記中心軸線Ｌ１に向けて互いに近接すると共に噴射方向に屈折させた屈折部３２ａ、３３ａを設けている。これら屈折部３２ａ、３３ａの中心軸線Ｌ２、Ｌ３に沿って貫通穴３２ｈ、３３ｈを設け、該貫通穴３２ｈ、３３ｈにノズルチップ３７を装着し、貫通穴３２ｈ、３３ｈの後端を閉鎖チップ３８で閉鎖している。
【００３７】
ノズル本体３０の基部３０ａに後端開口の凹部３０ｃを設け、該凹部３０ｃにバルブ３１の先端突出枠３１ａを内嵌螺着し、中心軸線Ｌ１に沿った圧搾空気通路４２ａと隔壁４１を介して外周に環状の加圧薬液通路４０ａを設けている。加圧薬液通路４０ａ、圧搾空気通路４２ａは連結するバルブ３１に設ける加圧薬液通路４０ｈ、圧搾空気通路４２ｈにそれぞれ連通している。
【００３８】
ノズル本体３０には加圧薬液通路４０ａに連通して分岐部３２、３３へと延在し、貫通穴３２ｈ、３３ｈに連通する加圧薬液通路４０ｂ、４０ｃを設けている。かつ、圧搾空気通路４２ａに連通して分岐部３２、３３へと延在し、前記貫通穴３２ｈ、３３ｈに連通する圧搾空気通路４２ｂ、４２ｃを設けている。
【００３９】
前記貫通穴３２ｈ、３３ｈにそれぞれ装着するノズルチップ３７の内筒３６の中心軸線Ｌ２、Ｌ３に沿った中空穴を加圧薬液通路４０ｄ、４０ｅとしている。これら加圧薬液通路４０ｄ、４０ｅを加圧薬液通路４０ｂ、４０ｃと連通している。
ノズル本体３０の貫通穴の内周面とノズルチップ３７の外周面の間に設ける環状の圧搾空気通路４２ｄ、４２ｅを前記圧搾通気通路４２ｂ、４２ｃに連通させている。  
これにより、図７（Ａ）（Ｂ）に示すように中心軸線Ｌ２、Ｌ３に沿った加圧薬液通路４０ｄ、４０ｅの外周に圧搾空気通路４２ｄ、４２ｅを設け、噴口４５、４６と接する内部混合室５０ー１、５０ー２で加圧薬液ＡＱと圧搾空気Ａを内部混合させて噴口４５、４６から混合流体を噴射し、中心軸線Ｌ１上の衝突点Ｐで衝突混合して微粒化を図っている。
【００４０】
詳細には、図８に示すように、ノズルチップ３７の中空穴からなる直線状の加圧薬液通路４０ｄ、４０ｅを円環状の圧搾空気通路４２ｄ、４２ｅで囲み、該加圧薬液通路および圧搾空気通路とも先端の噴口に向けて段階的に縮径している。
加圧薬液通路４０ｄ、４０ｅを形成するノズルチップ３７の先端開口３７ｅを、ノズル本体３０の噴口となる先端開口３０ｅより内部側に位置させ、先端開口３７ｅと３０ｅとの間に内部混合室５０を設けている。これにより、加圧薬液通路の先端開口３６ｅから噴射する加圧薬液ＡＱを外周側の圧搾空気Ａと内部混合させて、ノズル本体の噴口より外部に噴霧させる構成としている。
【００４１】
内部混合室５０の内周壁５０ｉは先端に向けて縮径させ、加圧薬液ＡＱと圧搾空気Ａの混合流体の噴射圧を高めている。かつ、ノズルチップ３７の外周面には先端開口３７ｅより後方に向けて等間隔にあけた三箇所に突出部３７ｖを設け、これら３つの突出部３７ｖをノズル本体３０の断面円形の貫通穴の内周面３０ｉに当接させている。これにより、ノズルチップ３７を貫通穴３２ｈ、３３ｈの中心に位置決め保持している。かつ、図８（Ｂ）に示すように、圧搾空気通路４２ｄ、４２ｅをそれぞれ３分割し、各分割した圧搾空気通路を減少するため噴霧粒子径を小さくできると共に、噴射音を低減できる。
【００４２】
このように、二流体のノズル３は、コンプレッサー１５から供給する圧搾空気Ａの一部を加圧薬液タンク１２に供給して、ノズル３に供給する薬液自体を加圧すると共に、コンプレッサー１５から供給する圧搾空気Ａの残部をノズル３に供給して、ノズルの噴口に接する内部混合室５０内で加圧薬液ＡＱに圧搾空気Ａを混合して噴射流体の圧力を高め、さらに、内部混合室５０を噴口に向けて縮径して増圧している。
ノズル３の分岐部３２、３３の対向する噴口４５、４６から噴射する噴霧は中心軸線Ｌ１、Ｌ２、Ｌ３が交差する衝突点Ｐで衝突混合し、該衝突時に噴霧中の液滴同士が衝突して微粒化を図っている。
【００４３】
前記衝突混合による微粒化で、ノズル３からの噴霧は液滴の平均粒子径が１０μｍ以下のドライフォグとしている。該ドライフォグは水滴が付着しても濡れを発生させない霧である。よって、噴霧後に乾燥時間を不要にでき、かつ、空中滞在時間を長くできるため、空中浮遊菌を除菌、殺菌することができる。しかも、前記のように、加圧薬液ＡＱに圧搾空気Ａを内部混合し、内部混合室５０の縮径穴の先端の噴口から噴霧して噴霧圧を高めて飛距離（霧足）を長くしているため、除菌、消臭、殺菌消毒する空間に瞬く間に霧を充満させることができ、空間の隅々まで除菌、消臭、殺菌消毒することができる。
【００４４】
例えば、圧搾空気と混合噴霧する加圧薬液として次亜塩素酸水からなる弱酸あるいは微酸の殺菌および除菌用薬液を用いると、該薬液をドライフォグとして広い範囲で空気中に高濃度で滞在させて、一網打尽に植物栽培装置のハウス内の病害虫を防除することができる。しかも、ドライフォグであるため、ハウス内に露出する金属フレームや金属備品の表面に酸性薬液が付着しにくく、これらの酸性腐食の発生を防止できる。
なお、次亜塩素酸水に限定されず、殺菌用の弱酸、微酸の薬液の場合にも好適に用いることができる。
【００４５】
ノズル３に連結するバルブ３１は噴霧ガン２の握り部２３に設けた噴霧ボタン２４によりオン／オフ操作できるものとしている。
図９に示すように、バルブ３１はノズル３のノズル本体３０に前記のように螺着して連結し、バルブ３１に前記延長用連結管２０の屈曲した先端を連結している。
前記噴霧ボタン２４をオン操作するとコンプレッサー１５が駆動して、圧搾空気が供給され、噴霧ボタン２４をオフ操作するとコンプレッサー１５が駆動停止し、圧搾空気が供給されないものとしている。
【００４６】
バルブ３１のボデー５３の後端に延長用連結管との接続用の凹部５４を設け、図９（Ａ）（Ｃ）に示すように、凹部５４に設けた加圧薬液流路５４ａをボデー５３に穿設した加圧薬液通路４０ｈに連通し、該加圧薬液通路４０ｈの途中に開閉弁５５で開閉される弁座５６を設けている。また、図９（Ｂ）に示すように、延長用連結管２０の圧搾空気管と連続する圧搾空気流路５４ｂをボデー５３内に設けた圧搾空気通路４２ｈに連通している。
【００４７】
前記圧搾空気貯留部５４ｂは加圧薬液通路４０ｈの開閉弁５５が摺動自在に内嵌される弁作動室５７と圧搾空気通路４２ｇを介して連通している。バルブ３１がオン操作されると、図９（Ａ）に示すように、弁作動室５７に圧搾空気Ａが導入され、開閉弁５５を付勢するスプリング５９を圧縮して開閉弁５５を開放方向へ移動させ、加圧薬液通路４０ｈが開き、ノズル３に加圧薬液が導入される。
一方、バルブ３１がオフ操作されて圧搾空気が供給されないと、図９（Ｃ）に示すように、弁作動室５７に圧搾空気が導入されず、開閉弁５５がスプリング５９に押圧作動され、弁座５６を閉鎖して加圧薬液通路４０ｈを閉じる。その結果、ノズル３に加圧薬液が供給されず、ノズル３の噴口から薬液がボタ落ちするのを防止できるようにしている。
【００４８】
前記構造からなる薬液噴霧装置を用いると、背負い式であるため、大空間を移動しながら薬液を噴霧して殺菌消毒を効率よく行うことができる。かつ、長い噴霧ガンの先端にノズルを取り付けているため、高い天井や作業員が入りにくい隅や隠れた箇所、設置材の背面に薬液を散布できる。特に、ノズルから濡れを発生させないドライフォグで薬液を噴霧するため、乾燥時間が不要であり、霧が付着した人や物に濡れを発生させない特有の作用効果を有する。
【００４９】
本発明は前記実施形態に限定されず、背負い式とせずに、図１０の従来例と同様なケース本体の下面に搬送ローラを備えた可搬式としてもよい。また、二流体ノズルは衝突混合型に限定されず、ドライフォグを噴霧できる構造であれば好適に用いることができる。
【００５０】
また、薬液噴霧装置以外の圧搾空気と液体との二流体ノズルで噴霧する場合、前記ノズル３を好適に用いることができる。該ノズルを用いると、液体貯留タンクからノズルまでの水頭差が大きい場合にも、混合噴霧する圧搾空気を利用して液圧を高めて、ノズルまで所要圧で液体を送ることができ、該構造の二流体ノズルを広範囲で利用することができる。
さらに、前記薬液噴霧装置に用いる図７、８、９に示す二流体ノズルは、圧搾空気に限定されない気体と、加圧薬液に限定されない液体をドライフォッグ状の霧で噴霧する場合に、圧搾空気通路を気体通路、加圧薬液通路を液体通路として好適に用いることができる。
【符号の説明】
【００５１】
１  ケース
１ａ  ケース本体
２  噴霧ガン
３  ノズル
１２  加圧薬液タンク
１３  バッテリー
１５  コンプレッサー
１６  圧搾空気供給管
１８  加圧用分岐管
１９  加圧薬液供給管
２０  延長用連結管
３１  バルブ
【図１】
2019098042.tif 000003
【図２】
2019098042.tif 000004
【図３】
2019098042.tif 000005
【図４】
2019098042.tif 000006
【図５】
2019098042.tif 000007
【図６】
2019098042.tif 000008
【図７】
2019098042.tif 000009
【図８】
2019098042.tif 000010
【図９】
2019098042.tif 000011
【図１０】
2019098042.tif 000012
【図１１】
2019098042.tif 000013
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
加圧薬液タンクおよびコンプレッサーを搭載しているケースと、
前記コンプレッサーから供給される圧搾空気の一部が流通される圧搾空気管と、前記コンプレッサーから供給される圧搾空気の残部で加圧された薬液が前記加圧薬液タンクから流通される加圧薬液管とを備えた延長用連結管と、
前記加圧薬液管とする内管を前記圧搾空気管とする外管で囲む二重管からなる前記延長用連結管の先端に取り付けられている二流体ノズルを備え、
前記二流体ノズルはノズル本体の基部の先端側で中心軸線に対して等間隔で２〜３分岐する分岐部を備え、これら分岐部を互いに離れる方向に傾斜させて突出させた後に前記中心軸線に向けて互いに近接する方向に屈折させた屈折部を備えると共に各屈折部の先端に噴口を備え、前記ノズル本体から前記分岐部にかけて前記圧搾空気管に接続される圧搾空気通路と前記加圧薬液管に接続される加圧薬液通路を備えると共に、前記圧搾空気通路から供給する圧搾空気と前記加圧薬液通路より供給する加圧薬液とを混合する内部混合室を前記噴口に接する位置に備え、該内部混合室は混合流体を増圧するために前記噴口に向けて縮径しており、
前記各分岐部の前記噴口より噴射する噴霧を前記ノズル本体の中心軸線の延長線上で衝突させて噴霧中の液滴を微粒化させ、該液滴の平均粒子径が１０ミクロン以下のドライフォグを噴射する構成としていることを特徴とする薬液噴霧装置。
【請求項２】
前記ケースは、ショルダーストラップを備えた背負い式のケースまたは下面にローラを取り付けた台車式のケースからなる可搬式とし、
前記ケースは、内部に前記加圧薬液タンク、コンプレッサー、該コンプレッサー駆動用のバッテリー、制御器、これら機器を接続するワイヤハーネス、前記コンプレッサーに接続する圧搾空気供給管、該圧搾空気供給管から分岐して前記加圧薬液タンクに連結した加圧用分岐管と、該加圧薬液タンクに連結した加圧薬液供給管を収納している請求項１に記載の薬液噴霧装置。
【請求項３】
前記延長用連結管の先端に前記ノズルを取り付ける噴霧ガンを備えたタイプとし、
前記ケースに取り付ける圧搾空気供給管の端末、前記加圧薬液供給管の端末、および前記ワイヤハーネスの端末にそれぞれ取り付けた継ぎ手を前記ケースの外面に導出しておく一方、
前記延長用連結管の端末に前記継ぎ手にそれぞれ接続する被継ぎ手を突設し、
かつ、前記外管の端末側に握り部を設け、該握り部に噴霧ボタンを設けている請求項２に記載の薬液噴霧装置。
【請求項４】
前記延長用連結管の先端に取り付ける二流体ノズルは、前記屈折部の中心軸線に沿う貫通穴に前記圧搾空気通路をあけて前記加圧薬液通路を形成する内筒を配置し、該内筒の先端開口を前記噴口より内部側に位置させて前記内部混合室を設け、前記加圧薬液通路の先端開口から噴射する加圧薬液を外周側の圧搾空気と内部混合させて前記噴口より外部に噴霧させる構成とし、かつ、前記内部混合室の内周面を前記噴口に向けて縮径させている請求項１乃至請求項３のいずれか１項に記載の薬液噴霧装置。
【請求項５】
（削除）
【請求項６】
（削除）
【請求項７】
前記圧搾空気と混合噴霧する加圧薬液は次亜塩素酸液である請求項１乃至請求項４のいずれか１項に記載の薬液噴霧装置。
【請求項８】
気体と液体とを混合噴霧する二流体ノズルであって、
ノズル本体内に、液体通路の外周に気体通路を備え、前記液体通路の噴射側開口を前記気体通路内に位置させて該ノズル本体の噴口に接する内部混合室を備え、該内部混合室は前記噴口に向けて縮径され、かつ、
前記内部混合室に連通する液体通路となる内筒の外周面を多角形とし、該多角形の頂点を前記気体通路となる断面円形の貫通穴の内周面に接触させていることを特徴とする二流体ノズル。
【手続補正２】
【補正対象書類名】明細書
【補正対象項目名】０００３
【補正方法】変更
【補正の内容】
【０００３】
き、大空間の薬液噴霧に適した薬液噴霧装置を提供することを課題としている。
課題を解決するための手段
［０００９］
前記課題を解決するため、本発明は、加圧薬液タンクおよびコンプレッサーを搭載しているケースと、
前記コンプレッサーから供給される圧搾空気の一部が流通される圧搾空気管と、前記コンプレッサーから供給される圧搾空気の残部で加圧された薬液が前記加圧薬液タンクから流通される加圧薬液管とを備えた延長用連結管と、
前記加圧薬液管とする内管を前記圧搾空気管とする外管で囲む二重管からなる前記延長用連結管の先端に取り付けられている二流体ノズルを備え、
前記二流体ノズルはノズル本体の基部の先端側で中心軸線に対して等間隔で２〜３分岐する分岐部を備え、これら分岐部を互いに離れる方向に傾斜させて突出させた後に前記中心軸線に向けて互いに近接する方向に屈折させた屈折部を備えると共に各屈折部の先端に噴口を備え、前記ノズル本体から前記分岐部にかけて前記圧搾空気管に接続される圧搾空気通路と前記加圧薬液管に接続される加圧薬液通路を備えると共に、前記圧搾空気通路から供給する圧搾空気と前記加圧薬液通路より供給する加圧薬液とを混合する内部混合室を前記噴口に接する位置に備え、該内部混合室は混合流体を増圧するために前記噴口に向けて縮径しており、
前記各分岐部の前記噴口より噴射する噴霧を前記ノズル本体の中心軸線の延長線上で衝突させて噴霧中の液滴を微粒化させ、該液滴の平均粒子径が１０ミクロン以下のドライフォグを噴射する構成としていることを特徴とする薬液噴霧装置を提供している。
［００１０］
前記のように、本発明では、前記延長用連結管の長さが、例えば１〜３ｍ等と長くなり、該延長用連結管先端のノズルが上下して薬液タンクとノズルの水頭差が大きくなっても、薬液タンクにコンプレッサーから圧搾空気の一部を供給してノズルへ送る薬液を予め加圧しているため、ノズルまで所要圧力で薬液を供給することができる。さらに、ノズルを二流体のノズルとして、圧搾空気の残部を直接ノズルへ供給し、加圧した薬液と圧搾空気を混合することにより噴射圧を高めているため、噴霧の飛距離を延ばすことが出来る。その結果、大空間の天井付近から床、壁の隅まで薬液を噴霧することができる。
［００１１］
前記ケースは、ショルダーストラップを備えた背負い式のケースまたは下面にローラを取り付けた台車式のケースからなる可搬式とし、
前記ケースは、内部に前記加圧薬液タンク、コンプレッサー、該コンプレッサー駆動用のバッテリー、制御器、これら機器を接続するワイヤハーネス、前記コンプレッサーに接続する圧搾空気供給管、該圧搾空気供給管から分
【手続補正３】
【補正対象書類名】明細書
【補正対象項目名】０００４
【補正方法】変更
【補正の内容】
【０００４】
岐して前記加圧薬液タンクに連結した加圧用分岐管と、該加圧薬液タンクに連結した加圧薬液供給管を収納していることが好ましい。
［００１２］
食品工場、病院、コンサートホール、講堂等の不特定多数の人が集まる大空間を殺菌消毒する場合、据え置き型とするより、移動しながら殺菌消毒することが好ましい。かつ、移動するため、バッテリーを搭載することでコードレスとでき、移動範囲を広くすることができる。バッテリーとしてはリチウムイオン二次電池が好適に用いられる。このようにコードレスとすると電源が確保しにくい畜産施設等にも用いることができる。
［００１３］
前記延長用連結管の先端に前記ノズルを取り付ける噴霧ガンを備えたタイプとし、
前記ケースに取り付ける圧搾空気供給管の端末、前記加圧薬液供給管の端末、および前記ワイヤハーネスの端末にそれぞれ取り付けた継ぎ手を前記ケースの外面に導出しておく一方、
二重管とする前記延長用連結管の端末に前記継ぎ手にそれぞれ接続する被継ぎ手を突設し、
かつ、前記外管の端末側に握り部を設け、該握り部に噴霧ボタンを設けていることが好ましい。
［００１４］
前記二重管の外管は保形性を有する金属製あるいは樹脂製とし、前記１〜３ｍ程の所要長さの定尺としてもよいし、伸縮式として長さを調節可能としてもよい。
このように、削記延長用連結管の先端にノズルを取り付けて噴霧ガンの仕様とすることで、大空間の天井や壁の隙間、設置物の背面や隠れた箇所まで薬液を効率よく噴霧することができる。
［００１５］
前記延長用連結管の先端に取り付ける二流体ノズルは、前記屈折部の中心軸線に沿う貫通穴に前記圧搾空気通路をあけて前記加圧薬液通路を形成する内筒を配置し、該内筒の先端開口を前記噴口より内部側に位置させて前記内部混合室を設け、前記加圧薬液通
【手続補正４】
【補正対象書類名】明細書
【補正対象項目名】０００５
【補正方法】変更
【補正の内容】
【０００５】
路の先端開口から噴射する加圧薬液を外周側の圧搾空気と内部混合させて前記噴口より外部に噴霧させる構成とし、かつ、前記内部混合室の内周面を前記噴口に向けて縮径させることが好ましい。
［００１６］
前記のように、二流体のノズルは噴口に接する内部混合室内で加圧薬液と圧搾空気とを内部混合させて、加圧した液圧に圧搾空気圧を付加して混合流体圧を高め、さらに、該内部混合室を噴口に向けて縮径しているため、噴霧圧を飛躍的に上昇させることができる。
［００１７］
前記加圧薬液通路となる前記内筒の中空穴を断面円形とする一方、該内筒の外周面の一部を三角形または四角形の多角形とし、該多角形の頂点を前記外筒となるノズル本体の断面円形の前記貫通穴の内周面に接触させて、前記内筒を前記貫通穴の中心軸線に沿って位置させることが好ましい。
［００１８］
前記のように、前記二流体ノズルのノズル本体の基部の先端側で中心軸線に対して等間隔で２〜３分岐する分岐部を備え、これら分岐部を互いに離れる方向に傾斜させて突出させた後に前記中心軸線に向けて互いに近接する方向に屈折させ屈折部を備えると共に各屈折部の先端に噴口を備え、前記ノズル本体から前記分岐部にかけて前記圧搾空気管に接続される圧搾空気通路と前記加圧薬液管に接続される加圧薬液通路を備えると共に、前記圧搾空気通路から供給する圧搾空気と前記加圧薬液通路より供給する加圧薬液とを混合する内部混合室を前記噴口に接する位置に備え、該内部混合室は混合流体を増圧するために前記噴口に向けて縮径しており、
前記各分岐部の屈折部先端の前記噴口より噴射する噴霧を前記ノズル本体の中心軸線の延長線上で衝突させて噴霧中の液滴を微粒化させ、該液滴の平均粒子径が１０ミクロン以下のドライフォグを噴射する構成としている。
［００１９］
前記衝突混合する噴霧の液滴は平均粒子径が１０ミクロン以下のドライフォグとしている。前記粒子径はレーザー法で測定している。
前記ドライフォグは水滴が付着しても濡れを発生させない霧であるため、乾燥時間を不要にでき、かつ、空中滞在時間を長くできるため、空中浮遊菌を殺菌することができる。しかも、加圧薬液に圧搾空気を内部混合し、縮径した内部混合室の先端の噴口から噴霧して噴霧圧を高めているため、飛距離（霧足）が長くなり、除菌
【手続補正５】
【補正対象書類名】明細書
【補正対象項目名】０００６
【補正方法】変更
【補正の内容】
【０００６】
・消臭もしくは殺菌消毒する空間に瞬く間に霧を充満させて、空間の隅々まで除菌・消臭もしくは殺菌消毒することができる。
［００２０］
前記噴霧ボタンは、前記コンプレッサーをオン／オフ操作すると共に、前記ノズルの基端に連結するバルブを開閉動作するものとし、該バルブは圧搾空気のオフ時に開閉弁を閉じ作動するスプリングを備え、該スプリングの作動で加圧薬液通路を遮断する構造とし、噴霧停止時にノズル噴口からの薬液のボタ落ちを防止する構造としていることが好ましい。
［００２１］
本発明の薬液噴霧装置は、食品工場、病院、飛行機・船舶・鉄道・バスを含む車両、保育施設・高齢者施設、学校・塾を含む教育施設、レジャー施設、植物栽培施設、畜産施設内で使用することが好ましい。
［００２２］
本発明の薬液噴霧装置において、圧搾空気と混合噴霧する加圧薬液として次亜塩素酸水が好適に用いられる。なお、次亜塩素酸水の他に過酢酸液、グルタラール（ホルマリン）液、二酸化塩素水等の薬液が殺菌用薬液として用いることができる。
これらの殺菌用の加圧薬液を圧搾空気と混合してドライフォグで噴霧すると、広い範囲にわたり高濃度の殺菌用薬液が拡散でき、広い範囲で殺菌用薬剤で菌を一網打尽できる。かつ、ドライフォグであるため空中に滞在して蒸発しやすく、噴霧装置内に露出する金属製部材に酸性の殺菌用薬液が付着しにくく、該金属製部材の酸性液との接触による腐食を阻止することができる。
［００２３］
前記薬液噴霧装置に用いる二流体ノズルは薬液の噴霧に限らず、他の液体をノズルから噴霧する場合にも好適に用いることができる。
よって、本発明は第２の発明として、
気体と液体とを混合噴霧する二流体ノズルであって、
ノズル本体内に、液体通路の外周に気体通路を備え、前記液体通路の噴射側開口を前記気体通路内に位置させて該ノズル本体の噴口に接する内部混合
【手続補正６】
【補正対象書類名】明細書
【補正対象項目名】０００７
【補正方法】変更
【補正の内容】
【０００７】
室を備え、該内部混合室は前記噴口に向けて縮径され、かつ、
前記内部混合室に連通する液体通路となる内筒の外周面を多角形とし、該多角形の頂点を前記気体通路となる断面円形の貫通穴の内周面に接触させていることを特徴とする二流体ノズルを提供している。
［００２４］
前記二流体ノズルは、液体の貯留タンクからノズルまでの搬送距離が長くて、貯留タンクとノズルまでの水頭差が大きい場合、噴霧の飛距離を長くしたい場合等に好適に用いられる。かつ、該二流体ノズルに前記バルブを連結して用いると、コンプレッサーの停止操作で液体の供給を停止でき、ノズル噴口からの液体のボタ落ちを防止できる。
発明の効果
［００２５］
前記のように、本発明の薬液噴霧装置は、薬液タンクからノズルまでの距離が長くて薬液タンクとノズルまでの水頭差が大きい場合にも、ノズルまで薬液を無理なく供給でき、大空間の除菌・消臭や殺菌消毒に有効に用いることができる。特に、食品工場等の除菌や殺菌消毒が必要な大空間、病院、教育施設、コンサートホール等の不特定多数の人が集う空間の除菌・消臭や殺菌消毒を短時間で効率良く行うことができる特有の効果を有する。
図面の簡単な説明
［００２６］
［図１］本発明の実施形態の薬液噴霧装置を背負って噴霧作業をする状態を示す斜視図である。
［図２］（Ａ）は前記薬液噴霧装置の噴霧ガンを示す斜視図、（Ｂ）は（Ａ）のＢ−Ｂ線断面図である。
［図３］前記薬液噴霧装置のケースを示し、（Ａ）は斜視図、（Ｂ）はケース本体内に収容している機器を示す斜視図である。
［図４］前記機器の連結状態を示す概略図である。
［図５］前記機器のうちの加圧薬液タンクの斜視図である。
［図６］前記薬液噴霧装置の噴霧ガンの先端に接続するノズルおよびバルブの分解斜視図である。
【手続補正７】
【補正対象書類名】明細書
【補正対象項目名】００１４
【補正方法】変更
【補正の内容】
【００１４】
薬液が導入される。
一方、バルブ３１がオフ操作されて圧搾空気が供給されないと、図９（Ｃ）に示すように、弁作動室５７に圧搾空気が導入されず、開閉弁５５がスプリング５９に押圧作動され、弁座５６を閉鎖して加圧薬液通路４０ｈを閉じる。その結果、ノズル３に加圧薬液が供給されず、ノズル３の噴口から薬液がボタ落ちするのを防止できるようにしている。
［００４８］
前記構造からなる薬液噴霧装置を用いると、背負い式であるため、大空間を移動しながら薬液を噴霧して殺菌消毒を効率よく行うことができる。かつ、長い噴霧ガンの先端にノズルを取り付けているため、高い天井や作業員が入りにくい隅や隠れた箇所、設置材の背面に薬液を散布できる。特に、ノズルから濡れを発生させないドライフォグで薬液を噴霧するため、乾燥時間が不要であり、霧が付着した人や物に濡れを発生させない特有の作用効果を有する。
［００４９］
本発明は前記実施形態に限定されず、背負い式とせずに、図１０の従来例と同様なケース本体の下面に搬送ローラを備えた可搬式としてもよい。
［００５０］
また、薬液噴霧装置以外の圧搾空気と液体との二流体ノズルで噴霧する場合、前記ノズル３を好適に用いることができる。該ノズルを用いると、液体貯留タンクからノズルまでの水頭差が大きい場合にも、混合噴霧する圧搾空気を利用して液圧を高めて、ノズルまで所要圧で液体を送ることができ、該構造の二流体ノズルを広範囲で利用することができる。
さらに、前記薬液噴霧装置に用いる図７、８、９に示す二流体ノズルは、圧搾空気に限定されない気体と、加圧薬液に限定されない液体をドライフォッグ状の霧で噴霧する場合に、圧搾空気通路を気体通路、加圧薬液通路を液体通路として好適に用いることができる。
符号の説明
［００５１］
１  ケース
【国際調査報告】
2019098042.tif 000014
2019098042.tif 000015
2019098042.tif 000016
2019098042.tif 000017